(57)【要約】      （修正有）【課題】コップや運動靴等の家庭用品を効率よく洗浄作業ができる万能手袋ブラシを提供する。【解決手段】可撓性と防水性を有する材料から構成された手袋であって、親指収納部２と、人差指以下４指収納部３と、該４指収納部の表面全面に固着されたブラシ部５とから構成されており、前記ブラシ部は、弾性を有し、所定の長さで固着された合成樹脂性ブラシであって、前記４指収納部の先端部に固着されたブラシ部の長さが、２０〜３０ｍｍで構成される。 【選択図】図１
0003113389.tif 000002
【実用新案登録請求の範囲】
【請求項１】
可撓性と防水性を有する材料から構成された手袋であって、親指収納部と、人差指以下４指収納部と、該４指収納部の表面全面に固着されたブラシ部とから構成されたことを特徴とする万能手袋ブラシ。
【請求項２】
前記ブラシ部は、弾性を有し、所定の長さで固着された合成樹脂製ブラシで構成されることを特徴とする請求項１記載の万能手袋ブラシ。
【請求項３】
前記４指収納部の先端部に固着されたブラシ部の長さが、２０〜３０ｍｍであることを特徴とする請求項１又は２記載の万能手袋ブラシ。
【考案の詳細な説明】
【技術分野】
【０００１】
本考案は、家庭用品等の洗浄に好適な万能手袋ブラシに関するものである。
【背景技術】
【０００２】
従来、コップや運動靴等の家庭用品の洗浄の際には、塩化ビニル樹脂製のフィルム又は薄いゴムで形成された手袋を用い、さらにスポンジやブラシ等の掃除具を持って作業を行なう必要があった。すなわち前記手袋を片手もしくは両手に装着して、前記家庭用品を一方の手に持ち、他方の手で前記掃除具を持って作業をしていた。
【０００３】
しかしながら、同じ家庭用品であっても机など平面部が多いものと異なり、コップの内側や運動靴の内部の洗浄作業の際には、各々のサイズに合わせた専用の掃除具を用意する必要があり、しかも前記運動靴等の場合には内側が目に見えないため、手探りで洗浄作業を行なう必要があり洗浄漏れが生じ易いという問題点があった。
【０００４】
また、上述のように手袋をしたままスポンジやブラシ等の掃除具を持って洗浄作業をするため、手が疲れるばかりでなく、作業がしづらく、しかも作業の度に手袋と掃除具の両方を探す必要があった。
【０００５】
これら問題点を解決するため、防水性を有するフィルムにより片手が入るように中空に形成された手袋部と、該手袋部の下面に固着されたスポンジ等の掃除用部材とからなり、前記手袋部の先端には前記手の指先が前記掃除用部材の先端に到達できないようにしたシール部が形成されている掃除用手袋が提案されている（特許文献１参照。）。また、手袋本体の手の平側にブラシを固着してなるブラシ付き手袋も提案されている（特許文献２参照。）。
【特許文献１】実開昭６２−１６８８６３号公報
【特許文献２】実開平３−７８４２１号公報
【考案の開示】
【考案が解決しようとする課題】
【０００６】
しかし、上記の特許文献１に記載されている掃除用手袋の場合、指先がシール部より先に入らないためコップの内側や運動靴の内部の洗浄の際に、先端部が折り曲げられ掃除部材が接触しない部位が生じ、不完全な作業となる惧れがあった。
【０００７】
また、上記の特許文献２に記載されているブラシ付き手袋の場合、手袋の手の平側の一部若しくは全部にブラシ部が設けられて使用するものであるが、手袋の指先先端部にはブラシ部が無いため指先が届かない隅部にはブラシ部も届かず、充分な洗浄はできないものであった。
【０００８】
本考案は、上記問題点に鑑みなされたものであり、運動靴等の内側が目に見えないものや指先が届かない隅部を有する家庭用品であっても専用の掃除具を必要とせず、洗浄漏れの無い充分な洗浄作業が可能となり、作業の際に手が疲れることも無く、快適に作業ができ、しかも洗浄作業の度に手袋と掃除具の両方を探す手間の無い万能手袋ブラシを提供することを目的とするものである。
【課題を解決するための手段】
【０００９】
このため本考案は、可撓性と防水性を有する材料から構成された手袋であって、親指収納部と、人差指以下４指収納部と、該４指収納部の表面全面に固着されたブラシ部とから構成されたことを第１の特徴とする。
【００１０】
また、前記ブラシ部は、弾性を有し、所定の長さで固着された合成樹脂製ブラシで構成されることを第２の特徴とする。
【００１１】
そして、前記４指収納部の先端部に固着されたブラシ部の長さが、２０〜３０ｍｍであることを第３の特徴とする。
【考案の効果】
【００１２】
本考案の万能手袋ブラシは、以上のように構成されているので次のような優れた効果を有する。
（１）可撓性と防水性を有する材料から構成された、親指収納部と、人差指以下４指収納部と、該４指収納部の表面全面に固着されたブラシ部とから構成されているため、スポンジやブラシ等の掃除具を持って洗浄作業を行なう必要がないため、手が疲れにくいばかりでなく、作業がし易く、しかも洗浄作業の度に手袋と掃除具の両方を探す必要がないという効果がある。
（２）また、、親指収納部と、人差指以下４指収納部とが分離されており、しかも該４指収納部の表面全面にブラシ部が固着されているため左右の違いがなく、左右の手に同一のものが使用できるという効果がある。
（３）４指収納部の先端部に長さ２０〜３０ｍｍのブラシ部が固着されており、運動靴等の内側が目に見えないものや指先が届かない隅部を有する家庭用品であっても洗浄漏れの無い充分な洗浄作業ができるという優れた効果がある。
【考案を実施するための最良の形態】
【００１３】
以下、本考案の実施の形態を、図面に示す実施例に基づいて説明するが、本考案が本実施例に限定されないことは言うまでもない。図１は、本考案に係る万能手袋ブラシの一実施例を示す正面図、図２は図１のＡ−Ａ線断面図、図３は本考案の万能手袋ブラシの使用状態を示す説明図である
【実施例】
【００１４】
図１、図２に示すように、本考案の万能手袋ブラシ１は、親指収納部２と人差指以下４指収納部３に分割されて形成された手袋本体４と、４指収納部２の表面全面に固着されたブラシ部５とから構成され、手袋本体４は可撓性と防水性を有するポリ塩化ビニルやゴム等を手形に成形したもので、ブラシ部５は弾性を有するポリ塩化ビニル等の材料で手袋本体４が成形される際に同時に成形されてもよく、手袋本体４が成形された後に接着剤等によって固着してもよい。尚、手袋本体４の長さはとくに限定されるものではなく、洗浄作業の際に手が汚染されない長さであればよい。また、親指収納部２の位置は手の左右で異なった位置であってもよいが、本実施例においては手の左右にかかわらず同じ位置のものとした。
【００１５】
ブラシ部５は、適度な弾性を有し、４指収納部３の表面全面に所定の長さで固着され、とくに４指収納部３の先端部３１に固着された先端ブラシ部５１の長さは２０〜３０ｍｍとされている。この先端ブラシ部５１によって指先が届きづらい家庭用品の隅部等の洗浄が容易となるため、４指収納部３の挿入が可能な家庭用品であれば、その隅部に至るまでの洗浄が可能とされる。また親指収納部２の表面にはブラシが固着されていないため、コップなどの家庭用品を取り扱う際に親指によって確実な保持が可能となる。
【００１６】
次に、図３により本考案の万能手袋ブラシの作用を説明する。万能手袋ブラシ１を用いて、例えば運動靴７を洗浄する作業について説明すると、片手６を手袋本体４の挿入口４ａから挿入し、親指６ａは親指収納部２に、他の４指６ｂは４指収納部３に各々収納する。ここでブラシ部５は４指収納部３の表面全面に固着されているため手袋本体４は左右の区別が無く、万能手袋ブラシ１の装着の際に左右の確認が不用となる。そして、水と洗剤を付けた万能手袋ブラシ１を靴７の中に挿入しながら靴７の内部をブラシ部５で擦り洗浄を行なう。この際、靴７の内部先端部や内部上面の汚れは目による確認はできないものの、指先の感触と指先から延びる先端ブラシ部５１によって専用の掃除具を必要とせずに充分な洗浄が可能となる。さらに、片手６を運動靴７内で前後、左右方向に移動させることでブラシ部５が運動靴７内を擦りながら洗浄するため、洗浄作業の際に手が疲れることも無く、快適に作業ができ、しかも洗浄作業の度に手袋と掃除具の両方を探す手間も無い。
【００１７】
以上、本考案による万能手袋ブラシによれば、人差指以下４指収納部の表面全面にブラシ部が固着されて構成されていいるため、スポンジやブラシ等の掃除具を持って洗浄作業を行なう必要がなく、手が疲れにくいばかりでなく、作業がし易く、しかも洗浄作業の度に手袋と掃除具の両方を探す必要がないする惧れがない。しかも４指収納部の先端部に固着されたブラシ部の長さが、２０〜３０ｍｍであるため運動靴等の内側が目に見ないものや指先が届かない家庭用品であっても隅部まで充分洗浄ができる。
【図面の簡単な説明】
【００１８】
【図１】本考案に係る万能手袋ブラシの一実施例を示す正面図である。
【図２】図２のＡ−Ａ線断面図である。
【図３】本考案に係る万能手袋ブラシの使用状態を示す説明図である。
【符号の説明】
【００１９】
１          万能手袋ブラシ
２          親指収納部
３          ４指収納部
４          手袋本体
４ａ          挿入口
５          ブラシ部
６          片手
６ａ          親指
６ｂ          ４指
７          運動靴
３１          先端部
５１          先端ブラシ部
【図１】
0003113389.tif 000003
【図２】
0003113389.tif 000004
【図３】
0003113389.tif 000005